【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
本画像再生装置が略一定方向に移動されている状態で、被写体を連続的に撮像して複数の画像データを出力する撮像手段と、
本画像再生装置の方位を示す方位データを取得する方位取得手段と、
前記本画像再生装置が略一定方向に移動されている状態での移動量を算出する算出手段と、
前記算出手段により算出された移動量が所定量となったか否かを判定する判定手段と、
前記判定手段により前記移動量が所定量となったと判定される毎に、前記撮像手段により出力された画像データと前記方位取得手段により取得された方位データとを対応付けて記録手段に記録させる記録制御手段と、
前記記録手段に記録された画像データと方位データとに基づいて、当該方位データが対応付けて記録されたパノラマ画像を生成する生成手段と、
前記生成手段により生成されたパノラマ画像に対応付けられて記録された方位データと、前記方位取得手段により取得された方位データとに基づいて、本画像再生装置の方位データに対応する前記パノラマ画像の画像領域を表示手段に再生させる再生手段と、
を備えることを特徴とする画像再生装置。
【請求項２】
前記パノラマ画像に対応付けられて記録された方位データと、前記方位取得手段により取得された方位データとを比較する比較手段を更に備え、
前記再生手段は、前記比較手段による比較結果に基づいて、本画像再生装置の方位データに最も近い方位データを有する前記パノラマ画像の画像領域を再生表示する
ことを特徴とする請求項１に記載の画像再生装置。
【請求項３】
前記生成手段は、前記撮像手段による撮像時の撮影方向を示す方位データが対応付けて記録された画像を少なくとも１つ含む複数の画像から構成されたパノラマ画像を生成する
ことを特徴とする請求項１又は２に記載の画像再生装置。
【請求項４】
前記再生手段は、前記パノラマ画像を構成する複数の画像のうち、何れかの画像の方位データに基づいて、前記パノラマ画像から前記方位取得手段により取得された方位データに対応する画像領域を前記表示手段に再生する
ことを特徴とする請求項１から３の何れかに記載の画像再生装置。
【請求項５】
本画像再生装置が略一定方向に移動されている状態で、被写体を連続的に撮像して複数の画像データを出力する撮像手段と、
本画像再生装置の方位を示す方位データを取得する方位取得手段と、
前記本画像再生装置が略一定方向に移動されている状態での移動量を算出する算出手段と、
前記算出手段により算出された移動量が所定量となったか否かを判定する判定手段と、
前記判定手段により前記移動量が所定量となったと判定される毎に、前記撮像手段により出力された画像データと前記方位取得手段により取得された方位データとを対応付けて記録手段に記録させる記録制御手段と
を備えることを特徴とする撮像装置。
【請求項６】
撮像時におけるチルト角を表す角度データが対応付けて記録されたパノラマ画像を記録手段に記録させる記録制御手段と、
本画像再生装置のチルト角を表す角度データを取得する角度取得手段と、
前記記録手段により記録されたパノラマ画像を構成する画像に対応付けられて記録された角度データと、前記角度取得手段により取得された角度データとに基づいて、本画像再生装置の角度データに対応する前記パノラマ画像の画像領域を表示手段に再生する再生手段と、
を備えることを特徴とする画像再生装置。
【請求項７】
前記パノラマ画像に対応付けられて記録された角度データと、前記角度取得手段により取得された角度データとを比較する比較手段を更に備え、
前記再生手段は、前記比較手段による比較結果に基づいて、本画像再生装置の角度データに最も近い角度データを有する前記パノラマ画像の画像領域を再生表示することを特徴とする請求項６記載の画像再生装置。
【請求項８】
撮像時におけるチルト角の角度データが対応付けて記録された画像を少なくとも１つ含む複数の画像から構成されるパノラマ画像を前記記録制御手段に記録させる
ことを特徴とする請求項６又は７に記載の画像再生装置。
【請求項９】
前記再生手段は、前記パノラマ画像を構成する複数の画像のうち、何れかの画像の角度データに基づいて、前記パノラマ画像から前記角度取得手段により取得された角度データに対応する画像領域を再生する
ことを特徴とする請求項６から８の何れかに記載の画像再生装置。
【請求項１０】
コンピュータを、
画像再生装置が略一定方向に移動されている状態での移動量を算出する算出手段、
前記算出手段により算出されている移動量が所定量となったか否かを判定する判定手段、
前記判定手段により判定された前記移動量が所定量となったと判定される毎に、前記画像再生装置が略一定方向に移動された状態で撮像手段により連続的に撮像された画像データと方位取得手段により取得された前記画像再生装置の方位データとを対応付けて記録手段に記録させる記録制御手段、
前記記録手段に記録された画像データと方位データとに基づいて、当該方位データが対応付けて記録されたパノラマ画像を生成する生成手段、
前記生成手段により生成されたパノラマ画像に対応付けられて記録された方位データと、前記方位取得手段により取得された方位データとに基づいて、本画像再生装置の方位データに対応する前記パノラマ画像の画像領域を表示手段に再生させる再生手段
として機能させることを特徴とするプログラム。
【請求項１１】
コンピュータを、
撮像装置が略一定方向に移動されている状態での移動量を算出する算出手段、
前記算出手段により算出されている移動量が所定量となったか否かを判定する判定手段、
前記判定手段により判定された前記移動量が所定量となったと判定される毎に、前記撮像装置が略一定方向に移動された状態で前記撮像装置により連続的に撮像された画像データと方位取得手段により取得された前記撮像装置の方位データとを対応付けて記録手段に記録させる記録制御手段、
前記記録手段に記録された画像データと方位データとに基づいて、当該方位データが対応付けて記録されたパノラマ画像を生成する生成手段、
前記生成手段により生成されたパノラマ画像に対応付けられて記録された方位データと、前記方位取得手段により取得された方位データとに基づいて、前記撮像装置の方位データに対応する前記パノラマ画像の画像領域を表示手段に再生させる再生手段
として機能させることを特徴とするプログラム。
【請求項１２】
コンピュータを、
画像再生装置のチルト角の角度データを取得する角度取得手段、
記録手段に記録されたパノラマ画像を構成する画像に対応付けられて記録された角度データと、前記角度取得手段により取得された角度データとに基づいて、本再生装置の角度データに対応する前記パノラマ画像の画像領域を表示手段に再生する再生手段
として機能させることを特徴とするプログラム。
【手続補正２】
【補正対象書類名】明細書
【補正対象項目名】発明の名称
【補正方法】変更
【補正の内容】
【発明の名称】画像再生装置、撮像装置、及びプログラム
【手続補正３】
【補正対象書類名】明細書
【補正対象項目名】０００１
【補正方法】変更
【補正の内容】
【０００１】
本発明は、画像再生装置、撮像装置、及びプログラムに関し、特に、パノラマ画像を再生する画像再生装置、撮像装置、及びプログラムに関する。
【手続補正４】
【補正対象書類名】明細書
【補正対象項目名】０００７
【補正方法】変更
【補正の内容】
【０００７】
上記目的を達成するため、画像再生装置に係る請求項１の発明は、本画像再生装置が略一定方向に移動されている状態で、被写体を連続的に撮像して複数の画像データを出力する撮像手段と、本画像再生装置の方位を示す方位データを取得する方位取得手段と、前記本画像再生装置が略一定方向に移動されている状態での移動量を算出する算出手段と、前記算出手段により算出された移動量が所定量となったか否かを判定する判定手段と、前記判定手段により前記移動量が所定量となったと判定される毎に、前記撮像手段により出力された画像データと前記方位取得手段により取得された方位データとを対応付けて記録手段に記録させる記録制御手段と、前記記録手段に記録された画像データと方位データとに基づいて、当該方位データが対応付けて記録されたパノラマ画像を生成する生成手段と、前記生成手段により生成されたパノラマ画像に対応付けられて記録された方位データと、前記方位取得手段により取得された方位データとに基づいて、本画像再生装置の方位データに対応する前記パノラマ画像の画像領域を表示手段に再生させる再生手段と、を備えることを特徴とする。
【手続補正５】
【補正対象書類名】明細書
【補正対象項目名】０００８
【補正方法】変更
【補正の内容】
【０００８】
上記目的を達成するため、撮像装置に係る請求項５に記載の発明は、本撮像装置が略一定方向に移動されている状態で、被写体を連続的に撮像して複数の画像データを出力する撮像手段と、本撮像装置の方位を示す方位データを取得する方位取得手段と、本撮像装置が略一定方向に移動されている状態での移動量を算出する算出手段と、前記算出手段により算出された移動量が所定量となったか否かを判定する判定手段と、前記判定手段により前記移動量が所定量となったと判定される毎に、前記撮像手段により出力された画像データと前記方位取得手段により取得された方位データとを対応付けて記録手段に記録させる記録制御手段とを備えることを特徴とする。
【手続補正６】
【補正対象書類名】明細書
【補正対象項目名】０００９
【補正方法】変更
【補正の内容】
【０００９】
上記目的を達成するため、画像再生装置に係る請求項６に記載の発明は、撮像時におけるチルト角を表す角度データが対応付けて記録されたパノラマ画像を記録手段に記録させる記録制御手段と、本画像再生装置のチルト角を表す角度データを取得する角度取得手段と、前記記録手段により記録されたパノラマ画像を構成する画像に対応付けられて記録された角度データと、前記角度取得手段により取得された角度データとに基づいて、本画像再生装置の角度データに対応する前記パノラマ画像の画像領域を表示手段に再生する再生手段とを備えることを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
上記目的を達成するため、請求項１０に記載の発明は、コンピュータを、画像再生装置が略一定方向に移動されている状態での移動量を算出する算出手段、前記算出手段により算出されている移動量が所定量となったか否かを判定する判定手段、前記判定手段により判定された前記移動量が所定量となったと判定される毎に、前記再生装置が略一定方向に移動された状態で撮像手段により連続的に撮像された画像データと方位取得手段により取得された前記画像再生装置の方位データとを対応付けて記録手段に記録させる記録制御手段、前記記録手段に記録された画像データと方位データとに基づいて、当該方位データが対応付けて記録されたパノラマ画像を生成する生成手段、前記生成手段により生成されたパノラマ画像に対応付けられて記録された方位データと、前記方位取得手段により取得された方位データとに基づいて、本画像再生装置の方位データに対応する前記パノラマ画像の画像領域を表示手段に再生させる再生手段として機能させることを特徴とする。
上記目的を達成するため、請求項１１に記載の発明は、コンピュータを、撮像装置が略一定方向に移動されている状態での移動量を算出する算出手段、前記算出手段により算出されている移動量が所定量となったか否かを判定する判定手段、前記判定手段により判定された前記移動量が所定量となったと判定される毎に、前記前記再生装置が略一定方向に移動された状態で前記撮像装置により連続的に撮像された画像データと方位取得手段により取得された前記撮像装置の方位データとを対応付けて記録手段に記録させる記録制御手段、前記記録手段に記録された画像データと方位データとに基づいて、当該方位データが対応付けて記録されたパノラマ画像を生成する生成手段、前記生成手段により生成されたパノラマ画像に対応付けられて記録された方位データと、前記方位取得手段により取得された方位データとに基づいて、前記撮像装置の方位データに対応する前記パノラマ画像の画像領域を表示手段に再生させる再生手段として機能させることを特徴とする。
上記目的を達成するため、請求項１２に記載の発明は、コンピュータを、画像再生装置のチルト角の角度データを取得する角度取得手段、記録手段に記録されたパノラマ画像を構成する画像に対応付けられて記録された角度データと、前記角度取得手段により取得された角度データとに基づいて、本再生装置の角度データに対応する前記パノラマ画像の画像領域を表示手段に再生する再生手段として機能させることを特徴とする。